(57)【要約】【課題】課題は、対象空間を照らす照明光の色温度の調整の容易化及び照明光の品質の向上が図れる、照明制御システム、照明制御方法、及び、プログラムを提供することである。【解決手段】照明制御システム１０は、対象空間に関する温度情報を含む参照情報に基づいて決定される、光源部２３及び光ファイバ２４を含む照明器具２０からの照明光の色温度の目標値を基準に、色温度を調整する。光ファイバ２４は、励起光によって励起され励起光よりも長波長の自然放出光を発生可能であり、かつ、自然放射増幅光によって励起可能な波長変換要素を含む波長変換部２４ｃを有する。光源部２３は、励起光と、励起光あるいは自然放射増幅光によって励起された波長変換要素から誘導放出光を発生させるためのシード光とを、光ファイバ２４に入射させる。照明制御システム１０は、シード光と励起光との少なくとも一方の強度の調整によって、色温度を調整する。【選択図】図２
2022002179.tif 000002
【特許請求の範囲】
【請求項１】
対象空間に関する温度情報を含む参照情報を取得する取得部と、
前記参照情報に基づいて、前記対象空間を照らす照明器具からの照明光の色温度の目標値を決定する決定部と、
前記照明光の色温度を、前記目標値を基準に調整する制御部と、
を備え、
前記照明器具は、光源部と、光ファイバと、を含み、
前記光ファイバは、励起光によって励起され前記励起光よりも長波長の自然放出光を発生可能であり、かつ、自然放射増幅光によって励起可能な波長変換要素を含む波長変換部を有し、
前記光源部は、
前記励起光を前記光ファイバに入射させる第１光源と、
前記励起光あるいは前記自然放射増幅光によって励起された前記波長変換要素から誘導放出光を発生させるためのシード光を、前記光ファイバに入射させる１以上の第２光源と、
を有し、
前記制御部は、前記シード光と前記励起光との少なくとも一方の強度の調整によって、前記照明光の色温度を調整する、
照明制御システム。
【請求項２】
前記取得部は、前記参照情報の少なくとも一部を、前記対象空間を照らす機能とは異なる機能を有する参照装置から取得する、
請求項１の照明制御システム。
【請求項３】
前記参照装置は、前記対象空間又は前記対象空間に関連する空間に作用する所定の処理を実行する機能を有する、
請求項２の照明制御システム。
【請求項４】
前記温度情報は、前記対象空間の温度の情報である主温度情報を含む、
請求項１〜３のいずれか一つの照明制御システム。
【請求項５】
前記温度情報は、前記対象空間の温度とは別の前記対象空間に関する温度の情報である補助温度情報を含む、
請求項１〜４のいずれか一つの照明制御システム。
【請求項６】
前記補助温度情報は、前記対象空間の外部の温度の情報を含む、
請求項５の照明制御システム。
【請求項７】
前記参照装置は、前記対象空間の冷房と暖房との少なくとも一方を行う空調装置である、
請求項２又は３の照明制御システム。
【請求項８】
前記温度情報は、前記対象空間の温度の情報である主温度情報を含む、
請求項７の照明制御システム。
【請求項９】
前記温度情報は、前記対象空間の温度とは別の前記対象空間に関する温度の情報である補助温度情報を含む、
請求項８の照明制御システム。
【請求項１０】
前記取得部は、前記参照装置とは別の操作装置から前記参照装置に送信される信号から、前記補助温度情報を取得する、
請求項９の照明制御システム。
【請求項１１】
前記決定部は、所定情報に基づいて基準温度を決定し、前記基準温度と前記主温度情報とに基づいて前記目標値を決定し、
前記所定情報は、
前記温度情報に含まれる、前記対象空間の温度とは別の前記対象空間に関する温度の情報である補助温度情報と、
前記参照装置に含まれる、前記照明器具の周囲の温度を除く前記照明器具の周囲の環境に関する環境情報と、
の少なくとも一方を含む、
請求項８〜１０のいずれか一つの照明制御システム。
【請求項１２】
前記決定部は、
前記対象空間の温度又は前記基準温度が高くなるほど前記目標値を大きくし、
前記対象空間の温度又は前記基準温度が低くなるほど前記目標値を小さくする、
請求項１１の照明制御システム。
【請求項１３】
前記決定部は、
前記基準温度に基づいて、前記照明器具の色温度の仮目標値を決定し、
前記対象空間の温度が前記基準温度を超える場合には前記目標値を前記仮目標値より大きい値に設定し、
前記対象空間の温度が前記基準温度を下回る場合には前記目標値を前記仮目標値より小さい値に設定する、
請求項１２の照明制御システム。
【請求項１４】
対象空間に関する温度情報を含む参照情報を取得する取得ステップと、
前記参照情報に基づいて、前記対象空間を照らす照明器具からの照明光の色温度の目標値を決定する決定ステップと、
前記照明光の色温度を、前記目標値を基準に調整する制御ステップと、
を含み、
前記照明器具は、光源部と、光ファイバと、を含み、
前記光ファイバは、励起光によって励起され前記励起光よりも長波長の自然放出光を発生可能であり、かつ、自然放射増幅光によって励起可能な波長変換要素を含む波長変換部を有し、
前記光源部は、
前記励起光を前記光ファイバに入射させる第１光源と、
前記励起光あるいは前記自然放射増幅光によって励起された前記波長変換要素から誘導放出光を発生させるためのシード光を、前記光ファイバに入射させる１以上の第２光源と、
を有し、
前記制御ステップは、前記シード光と前記励起光との少なくとも一方の強度の調整によって、前記照明光の色温度を調整する、
照明制御方法。
【請求項１５】
１以上のプロセッサに、請求項１４の照明制御方法を実行させるための、
プログラム。
【請求項１６】
対象空間に関する温度情報を含む参照情報を取得する取得部と、
前記参照情報に基づいて、前記対象空間を照らす照明器具からの照明光の色温度の目標値を決定する決定部と、
前記照明光の色温度を、前記目標値を基準に調整する制御部と、
を備え、
前記照明器具は、光源部と、光ファイバと、を含み、
前記光ファイバは、前記光ファイバに入射した光の少なくとも一部の波長を変換する波長変換要素を含む波長変換部を有し、
前記光源部は、
第１光を前記光ファイバに入射させる第１光源と、
前記第１光と波長が異なる第２光を前記光ファイバに入射させる１以上の第２光源と、
を有し、
前記制御部は、前記第１光と前記第２光との少なくとも一方の強度の調整によって、前記照明光の色温度を調整する、
照明制御システム。
【発明の詳細な説明】
【技術分野】
【０００１】
本開示は、一般に、照明制御システム、照明制御方法、及び、プログラムに関する。本開示は、特に、対象空間を照らす照明制御システム、照明制御方法、及び、プログラムに関する。
【背景技術】
【０００２】
特許文献１は、照明制御装置（照明制御システム）を開示する。特許文献１の照明制御装置は、色温度の異なる複数の光源と、点灯装置と、情報収集装置と、制御部を備える。点灯装置は、各光源を点滅または調光する。情報収集装置は、周囲環境における自然光の色温度もしくは温度のうちの少なくともひとつを測定する。制御部は、情報収集装置による測定値に応動して前記各光源の光出力を調整するように前記点灯装置を制御する。
【先行技術文献】
【特許文献】
【０００３】
【特許文献１】特開平４−２０６３９１号公報
【発明の概要】
【発明が解決しようとする課題】
【０００４】
特許文献１の照明制御装置では、色温度の異なる複数の光源の光出力を調整するだけであるから、照明制御装置からの光（照明光）の品質が不十分であった。
【０００５】
課題は、対象空間を照らす照明光の色温度の調整の容易化及び照明光の品質の向上が図れる、照明制御システム、照明制御方法、及び、プログラムを提供することである。
【課題を解決するための手段】
【０００６】
本開示の一態様の照明制御システムは、取得部と、決定部と、制御部と、を備える。前記取得部は、対象空間に関する温度情報を含む参照情報を取得する。前記決定部は、前記参照情報に基づいて、前記対象空間を照らす照明器具からの照明光の色温度の目標値を決定する。前記制御部は、前記照明光の色温度を、前記目標値を基準に調整する。前記照明器具は、光源部と、光ファイバと、を含む。前記光ファイバは、励起光によって励起され前記励起光よりも長波長の自然放出光を発生可能であり、かつ、自然放射増幅光によって励起可能な波長変換要素を含む波長変換部を有する。前記光源部は、前記励起光を前記光ファイバに入射させる第１光源と、前記励起光あるいは前記自然放射増幅光によって励起された前記波長変換要素から誘導放出光を発生させるためのシード光を、前記光ファイバに入射させる１以上の第２光源と、を有する。前記制御部は、前記シード光と前記励起光との少なくとも一方の強度の調整によって、前記照明光の色温度を調整する。
【０００７】
本開示の一態様の照明制御方法は、取得ステップと、決定ステップと、制御ステップと、を含む。前記取得ステップは、対象空間に関する温度情報を含む参照情報を取得するステップである。前記決定ステップは、前記参照情報に基づいて、前記対象空間を照らす照明器具からの照明光の色温度の目標値を決定するステップである。前記制御ステップは、前記照明光の色温度を、前記目標値を基準に調整するステップである。前記照明器具は、光源部と、光ファイバと、を含む。前記光ファイバは、励起光によって励起され前記励起光よりも長波長の自然放出光を発生可能であり、かつ、自然放射増幅光によって励起可能な波長変換要素を含む波長変換部を有する。前記光源部は、前記励起光を前記光ファイバに入射させる第１光源と、前記励起光あるいは前記自然放射増幅光によって励起された前記波長変換要素から誘導放出光を発生させるためのシード光を、前記光ファイバに入射させる１以上の第２光源と、を有する。前記制御ステップは、前記シード光と前記励起光との少なくとも一方の強度の調整によって、前記照明光の色温度を調整する。
【０００８】
本開示の一態様のプログラムは、１以上のプロセッサに、前記照明制御方法を実行させるための、プログラムである。
【０００９】
本開示の一態様の照明制御システムは、取得部と、決定部と、制御部と、を備える。前記取得部は、対象空間に関する温度情報を含む参照情報を取得する。前記決定部は、前記参照情報に基づいて、前記対象空間を照らす照明器具からの照明光の色温度の目標値を決定する。前記制御部は、前記照明光の色温度を、前記目標値を基準に調整する。前記照明器具は、光源部と、光ファイバと、を含む。前記光ファイバは、前記光ファイバに入射した光の少なくとも一部の波長を変換する波長変換要素を含む波長変換部を有する。前記光源部は、第１光を前記光ファイバに入射させる第１光源と、前記第１光と波長が異なる第２光を前記光ファイバに入射させる１以上の第２光源と、を有する。前記制御部は、前記第１光と前記第２光との少なくとも一方の強度の調整によって、前記照明光の色温度を調整する。
【発明の効果】
【００１０】
本開示の態様によれば、対象空間を照らす照明光の色温度の調整の容易化及び照明光の品質の向上が図れる、という利点がある。
【図面の簡単な説明】
【００１１】
【図１】図１は、一実施形態の照明制御システムの説明図である。
【図２】図２は、上記照明制御システムのブロック図である。
【図３】図３は、上記照明制御システムにおける光ファイバの断面図である。
【図４】図４は、上記照明制御システムの動作原理の説明図である。
【図５】図５は、上記照明制御システムの動作原理の説明図である。
【図６】図６は、上記照明制御システムの動作原理の説明図である。
【図７】図７は、上記照明制御システムの動作のフローチャートである。
【発明を実施するための形態】
【００１２】
以下、場合によって図面を参照しながら、本開示の実施形態について説明する。ただし、以下の実施形態は、本開示を説明するための例示であり、本開示を以下の内容に限定する趣旨ではない。上下左右等の位置関係は、特に断らない限り、図面に示す位置関係に基づくものとする。以下の実施形態において説明する各図は、模式的な図であり、各図中の各構成要素の大きさ及び厚さそれぞれの比が、必ずしも実際の寸法比を反映しているとは限らない。また、各要素の寸法比率は図面に図示された比率に限られるものではない。
【００１３】
（１）実施形態
（１−１）概要
図１は、照明制御システム１０が適用される施設１００を示す。照明制御システム１０は、施設１００の対象空間１１０を照らすために用いられる。
【００１４】
施設１００は、本実施形態では、戸建て住宅である。対象空間１１０は、施設１００内において照明を利用する空間であってよい。施設１００が戸建て住宅である場合、対象空間１１０の例としては、リビング、キッチン、寝室、書斎、子供部屋が挙げられる。
【００１５】
図２に示すように、照明制御システム１０は、取得部３１と、決定部３２と、制御部３３と、を備える。取得部３１は、対象空間１１０に関する温度情報を含む参照情報を取得する。決定部３２は、参照情報に基づいて、対象空間１１０を照らす照明器具２０からの照明光の色温度の目標値を決定する。制御部３３は、照明光の色温度を、目標値を基準に調整する。照明器具２０は、光源部２３と、光ファイバ２４と、を含む。光ファイバ２４は、励起光Ｐ１（図３参照）によって励起され励起光Ｐ１よりも長波長の自然放出光を発生可能であり、かつ、自然放射増幅光によって励起可能な波長変換要素を含む波長変換部２４ｃを有する。光源部２３は、第１光源２３１と、１以上の第２光源２３２（本実施形態では、２つの第２光源２３２ａ，２３２ｂ）と、を有する。第１光源２３１は、励起光Ｐ１を光ファイバ２４に入射させる。１以上の第２光源２３２は、励起光Ｐ１あるいは自然放射増幅光によって励起された波長変換要素から誘導放出光を発生させるためのシード光Ｐ２（図３参照）を、光ファイバ２４に入射させる。制御部３３は、シード光Ｐ２と励起光Ｐ１との少なくとも一方の強度の調整によって、照明光の色温度を調整する。
【００１６】
この照明制御システム１０では、対象空間１１０に関する温度情報を含む参照情報に基づいて決定した目標値を基準に、対象空間１１０を照らす照明器具２０からの照明光の色温度を調整する。照明光の色温度の調整にあたっては、制御部３３は、シード光Ｐ２と励起光Ｐ１との少なくとも一方の強度の調整をする。そのため、照明光の色温度の調整の容易化が図れる。更に、光ファイバ２４によって、光の波長変換が行われて、光源部２３からの光（励起光Ｐ１、シード光Ｐ２）から、光Ｌ１が得られ、この光Ｌ１を照明光に利用できる。そのため、照明光は、混色光であり、かつインコヒーレント光である。これによって、照明光の品質の向上が図れる。このように、本実施形態では、対象空間１１０を照らす照明光の色温度の調整の容易化及び照明光の品質の向上が図れる。
【００１７】
（１−２）詳細
以下、本実施形態の照明制御システム１０について、図面を参照して更に詳細に説明する。照明制御システム１０は、図１に示すように、施設１００の対象空間１１０を照らすために用いられる。
【００１８】
照明制御システム１０は、図２に示すように、照明器具２０と、制御装置３０と、を備える。
【００１９】
（１−２−１）照明器具
照明器具２０は、光源ユニット２１と、光照射部２２と、を備える。
【００２０】
光源ユニット２１は、図３に示すように、励起光Ｐ１と、シード光Ｐ２と、を入射させる。励起光Ｐ１は、光ファイバ２４に添加される波長変換要素（元素）を励起するための光である。シード光Ｐ２は、励起光Ｐ１によって励起された波長変換要素から誘導放出光Ｐ３（図６参照）を発生させるための光である。光ファイバ２４からは、励起光Ｐ１と誘導放出光Ｐ３とを含む光Ｌ１が出射される。図４〜図６は、発光システム１の動作原理の説明図である。図４、図５及び図６の縦軸は、電子エネルギである。また、図４の上向きの矢印は、励起光Ｐ１の吸収を示している。また、図６の下向きの矢印は、自然放出光あるいは誘導放出光Ｐ３に関する遷移を示している。光源ユニット２１では、光ファイバ２４に入射した励起光Ｐ１によって、波長変換要素の基底準位Ｅ０（複数のエネルギ準位を含む）にあった電子ｅ−が励起準位Ｅ２に励起される。そして、励起準位Ｅ２の電子ｅ−が励起準位Ｅ２よりもエネルギの低い準安定準位Ｅ１に遷移する。シード光Ｐ２（Ｐ２２）は、例えば準安定準位Ｅ１と基底準位Ｅ０の複数のエネルギ準位のうち上位のエネルギ準位とのエネルギ差に相当する波長を有する。このシード光Ｐ２（Ｐ２２）によって準安定準位Ｅ１の電子ｅ−が基底準位Ｅ０の複数のエネルギ準位のうち上位のエネルギ準位に遷移するときに誘導放出光Ｐ３（Ｐ３２）が発生する。シード光Ｐ２（Ｐ２１）は、準安定準位Ｅ１と準安定準位Ｅ１よりも低い別のエネルギ準位とのエネルギ差に相当する波長を有する。このシード光Ｐ２（Ｐ２１）によって準安定準位Ｅ１の電子ｅ−が当該別のエネルギ準位に遷移するときにも、誘導放出光Ｐ３（Ｐ３１）が発生する。
【００２１】
光源ユニット２１は、光源部２３と、光ファイバ２４と、を備える。光源部２３は、第１光源２３１と、第２光源２３２と、を備える。第１光源２３１は、第１光（励起光）Ｐ１を光ファイバ２４に入射させる。第２光源２３２は、第１光Ｐ１と波長が異なる第２光（シード光）Ｐ２を光ファイバ２４に入射させる。詳しくは、第２光源２３２は、励起光Ｐ１によって励起された波長変換要素から、誘導放出光Ｐ３を発生させるためのシード光Ｐ２（以下、外部シード光Ｐ２ともいう）を、光ファイバ２４に入射させる。
【００２２】
光ファイバ２は、図３に示すように、コア２４１と、クラッド２４２と、被覆部２４３と、を有する。クラッド２４２は、コア２４１の外周面を覆っている。被覆部２４３は、クラッド２４２の外周面を覆っている。コア２４１に関し、光軸方向に直交する断面形状は、円形状である。クラッド２４２は、コア２４１と同軸状に配置されている。
【００２３】
コア２４１は、第１端面と、コア２４１の長さ方向において第１端面とは反対側の第２端面と、を有する。コア２４１は、透光性材料と、波長変換要素（元素）と、を含む。コア２４１における波長変換要素の濃度は、コア２４１の全長に亘って略均一であってもよいし、均一でなくてもよい。コア２４１の屈折率は、コア２４１の主成分である上述の透光性材料の屈折率と略同じである。
【００２４】
透光性材料は、例えば、フッ化物、酸化物、又は窒化物のいずれかである。フッ化物は、例えば、フッ化物ガラスである。酸化物は、例えば、酸化ケイ素、石英等である。
【００２５】
波長変換要素は、希土類元素である。ここにおいて、波長変換要素は、例えば、Ｐｒ、Ｔｂ、Ｈｏ、Ｄｙ、Ｅｒ、Ｅｕ、Ｎｄ及びＭｎの群から選択される元素を含む。波長変換要素は、希土類元素のイオンとしてコア２４１に含有されており、例えば、Ｐｒのイオン（Ｐｒ３＋）、Ｔｂのイオン（Ｔｂ３＋）として含有されている。ここにおいて、波長変換要素は、励起光Ｐ１によって励起されるか、あるいは自身とは別の波長変換要素から発せられた自然放出光を内部シード光として増幅された光、すなわち自然放射増幅光（ＡＳＥ）によって励起されてもよい。このような励起を介して、波長変換要素は、波長変換要素の元素特有のＡＳＥを放出し、併せて外部シード光Ｐ２の波長と同じ波長の誘導放出光を発生し、これらを合わせて誘導放出光Ｐ３として放出する。ＡＳＥ及び外部シード光Ｐ２の波長は、励起光Ｐ１の波長（例えば、４４０〜４５０ｎｍ）よりも長波長である。シード光Ｐ２の波長については、後述する。
【００２６】
Ｐｒ３＋はシアン〜赤色の範囲でＡＳＥあるいはシード光の増幅光を放出できる波長変換要素である。誘導放出光の強度は、内部シード光（自然放出光）及び外部シード光の強さに依存する。コア２４１がＰｒ３＋とＴｂ３＋を含有している場合、Ｔｂ３＋は、Ｐｒ３＋からのＡＳＥを吸収して励起され、Ｔｂ３＋特有の波長のＡＳＥを発生することもできる。
【００２７】
クラッド２４２の屈折率は、コア２４１の屈折率よりも小さい。クラッド２４２は、コア２４１の含有している波長変換要素を含まない。
【００２８】
被覆部２４３は、クラッド２４２の外周面を覆っている。被覆部２４３の材料は、例えば、樹脂である。
【００２９】
光ファイバ２４は、入射部２４ａと、出射部２４ｂと、波長変換部２４ｃと、を有する。
【００３０】
入射部２４ａは、励起光Ｐ１が入射する部分であり、例えば、コア２４１の第１端面を含む。出射部２４ｂは、励起光Ｐ１と、ＡＳＥを含む誘導放出光Ｐ３と、を含む光Ｌ１が出射するコア２４１の第２端面を含む。
【００３１】
入射部２４ａは、光ファイバ２４の外部から入射部２４ａに入射する励起光Ｐ１の反射を低減する反射低減部を含んでいてもよい。反射低減部は、例えば、コア２４１の第１端面を覆うアンチリフレクションコートであってもよい。波長７００ｎｍ以上の深赤外域の光に対しては無反射コートがあることが望ましい。
【００３２】
波長変換部２４ｃは、入射部２４ａと出射部２４ｂとの間に設けられている。波長変換部２４ｃは、励起光Ｐ１によって励起され励起光Ｐ１よりも長波長の光を放射する波長変換要素を含む。波長変換要素は、励起光Ｐ１を吸収して励起光Ｐ１よりも長波長の自然放出光又はシード光を誘導放出によって増幅することができる元素である。つまり、波長変換部２４ｃは、光ファイバ２４に入射した光の少なくとも一部の波長を変換する波長変換要素を含む。
【００３３】
コア２４１の直径は、例えば、２５μｍ〜５００μｍである。光ファイバ２４の長さは、例えば、３ｍ〜１０ｍである。波長変換部２４ｃの長さについては、波長変換部２４ｃにおける波長変換要素の濃度が低いほど長いほうが好ましい。光ファイバ２４の開口数は、例えば、０．２２である。波長変換部２４ｃにおける波長変換要素の濃度は、コア２４１における波長変換要素の濃度である。
【００３４】
第１光源２３１は、光ファイバ２４の波長変換部２４ｃに含まれる波長変換要素を励起するための励起光Ｐ１を出射する。第１光源２３１から出射された励起光Ｐ１は、光ファイバ２４の入射部２４ａへ入射される。波長変換要素をより効率的に励起する観点から、励起光Ｐ１の波長は、３５０ｎｍ以上５００ｎｍ以下であるのが好ましい。
【００３５】
第１光源２３１は、例えば、レーザ光源を含む。レーザ光源は、レーザ光を出射する。第１光源２３１から出射された励起光Ｐ１（レーザ光源から出射したレーザ光）は、入射部２４ａへ入射される。レーザ光源は、例えば、青色のレーザ光を出射する半導体レーザである。この場合、励起光Ｐ１は、例えば、４４０〜４５０ｎｍである。第１光源２３１は、レーザ光源を駆動する駆動回路を含み、励起光Ｐ１の強度を調整可能である。
【００３６】
第２光源２３２は、シード光Ｐ２を出射する。第２光源２３２から出射されたシード光Ｐ２は、光ファイバ２の入射部２４ａへ入射される。第２光源２３２は、例えば、レーザ光源を含む。レーザ光源は、レーザ光を出射する。第２光源２３２から出射されたシードＰ２（レーザ光源から出射したレーザ光）は、入射部２４ａへ入射される。第２光源２３２は、レーザ光源を駆動する駆動回路を含み、シード光Ｐ２の強度を調整可能である。
【００３７】
光源部２３は、複数（例えば、２つ）の第２光源２３２を備える。２つの第２光源２３２は、例えば、互いに波長の異なる一の波長のシード光Ｐ２を出射する。以下では、説明の便宜上、２つの第２光源２３２のうち１つの第２光源２３２を第２光源２３２ａと称し、残りの１つの第２光源２３２を第２光源２３２ｂと称することもある。第２光源２３２ａでは、レーザ光源は、例えば、緑色の光を出射する半導体レーザである。また、第２光源２３２ｂでは、レーザ光源は、例えば、赤色の光を出射する半導体レーザである。波長変換部２４ｃの波長変換要素がＰｒ３＋を含む場合、緑色のシード光Ｐ２１の波長は、例えば約５２０ｎｍであり、赤色のシード光Ｐ２２の波長は、例えば約６４０ｎｍであるのが好ましい。各第２光源２３２は、準単色光を放射する光源である。ここにおいて、準単色光とは、狭い波長範囲（例えば、１０ｎｍ）に含まれる光である。発光システム１における第２光源２３２の数は、２つに限らず、３つ以上でもよいし、１つでもよい。発光システム１は、第２光源２３２を３つ備える場合、３つの第２光源２３２として、緑色の光を出射する半導体レーザと、赤色の光を出射する半導体レーザと、オレンジ色の光を出射する半導体レーザと、を備えていてもよい。オレンジ色のシード光の波長は、例えば約６００ｎｍであるのが好ましい。
【００３８】
第２光源２３２ａから出射した光は、シード光Ｐ２（Ｐ２１）として、光ファイバ２４の入射部２４ａに入射される。また、第２光源２３２ｂから出射した光は、シード光Ｐ２（Ｐ２２）として、光ファイバ２４の入射部２４ａに入射される。
【００３９】
以上述べた光源ユニット２１では、第１光源２３１から励起光Ｐ１を出射させ、かつ、第２光源２３２からシード光Ｐ２を出射させる。これにより、励起光Ｐ１及びシード光Ｐ２を光ファイバ２４の入射部２４ａに入射させる。入射部２４ａに入射した励起光Ｐ１の一部は、出射部２４ｂから出射される。光ファイバ２４の出射部２４ｂから出射される光Ｌ１は、励起光Ｐ１と、波長変換要素から発生する波長約４８０ｎｍのＡＳＥ、及びシード光Ｐ２の波長と同じ波長の誘導放出光Ｐ３と、の混色光である。複数のシード光Ｐ２１，Ｐ２２に一対一に対応し互いに波長の異なる２種類の誘導放出光Ｐ３は、例えば、緑色光と、赤色光と、である。この場合、混色光は、例えば、白色光である。なお、図６において下側の誘導放出光Ｐ３１が、緑色光であり、上側の誘導放出光Ｐ３２が赤色光である。
【００４０】
光ファイバ２４では、自然放出光とシード光Ｐ２により誘導放出が生じるので、入射部２４ａに入射した励起光Ｐ１と、誘導放出により増幅された誘導放出光Ｐ３とが出射部２４ｂから出射する。光ファイバ２４の出射部２４ｂから出射される光のうちシード光Ｐ２１の波長と同じ波長の誘導放出光Ｐ３の強度は、第２光源２３２ａから入射部２４ａに入射させるシード光Ｐ２１の強度よりも大きい。また、光ファイバ２４の出射部２４ｂから出射される光のうちシード光Ｐ２２の波長と同じ波長の誘導放出光Ｐ３の強度は、第２光源２３２ｂから入射部２４ａに入射させるシード光Ｐ２２の強度よりも大きい。光ファイバ２４の出射部２４ｂから出射される混色光（光Ｌ１）は、インコヒーレント光である。光源ユニット２１では、光ファイバ２４の入射部２４ａから出射部２４ｂに近づくにつれて誘導放出光Ｐ３が増加、又は減少する。光源ユニット２１では、ＡＳＥの波長とシード光Ｐ２の波長とに応じて、照明器具２０から出射される光（照明光）の色度、色温度、演色性等が決まる。なお、光源ユニット２１の動作は、レーザ発振するファイバレーザの動作とは異なる。
【００４１】
光源ユニット２１では、発熱源となる波長変換要素が光ファイバ２４のコア２４１に分散されているので、使用時の温度上昇を抑制できる。
【００４２】
光照射部２２は、光ファイバ２４からの光Ｌ１によって、対象空間１１０を照らすために用いられる。光照射部２２は、光ファイバ２４からの光Ｌ１を、照射光として対象空間１１０に供給するための光学系を含む。光学系は、１以上の光学部材を含む。光学部材の例としては、反射板及びレンズが挙げられる。光照射部２２自体は光源を有しておらず、光源ユニット２１からの光Ｌ１を、対象空間１１０に向けて照射する機能を有している。本実施形態では、光照射部２２は、光学系を収容し、対象空間１１０の天井に設置される筐体を更に備える。筐体は、従来周知のシーリングライトの筐体と同様の構造を有し得る。
【００４３】
（１−２−２）制御装置
制御装置３０は、照明器具２０の制御を行う。制御装置３０は、コンピュータシステムにより実現され得る。コンピュータシステムは、例えば、１以上の入出力インタフェース、１以上のメモリ、及び１以上のプロセッサ（マイクロプロセッサ）を含む。つまり、１以上のプロセッサが１以上のメモリに記憶された１以上のプログラム（アプリケーション）を実行することで、制御装置３０として機能する。プログラムは、ここでは制御装置３０のメモリに予め記録されているが、インターネット等の電気通信回線を通じて、又はメモリカード等の非一時的な記録媒体に記録されて提供されてもよい。なお、入出力インタフェースは、制御装置３０への情報の入力、及び、制御装置３０からの情報の出力のためのインタフェースであり、通信インタフェースや、ヒューマンインタフェースを含む。
【００４４】
制御装置３０は、取得部３１と、決定部３２と、制御部３３とを備える。図２において、取得部３１と、決定部３２と、制御部３３とは実体のある構成を示しているわけではなく、制御装置３０によって実現される機能を示している。
【００４５】
取得部３１は、参照情報を取得する。参照情報は、温度情報と、環境情報と、を含む。温度情報は、対象空間１１０に関する温度の情報である。温度情報は、主温度情報と、補助温度情報とを含む。主温度情報は、対象空間１１０の温度の情報である。補助温度情報は、対象空間１１０の温度とは別の、対象空間１１０に関する温度の情報である。つまり、補助温度情報は、対象空間１１０に関する温度の情報であるが、対象空間１１０の温度そのものの情報ではない。補助温度情報の例としては、対象空間１１０の外部１２０の温度の情報がある。外部１２０が施設１００の外であれば、対象空間１１０の外部１２０の温度は、外気温である。補助温度情報の別の例としては、空調装置の設定温度（目標温度）の情報である。環境情報は、照明器具２０の周囲の温度を除く照明器具２０の周囲の環境に関する情報である。換言すれば、環境情報は、対象空間１１０に関する温度を除く対象空間１１０の周囲の環境に関する情報である。環境情報の例としては、照明器具２０（対象空間１１０）の周囲の気圧、位置、季節、日付、時刻が挙げられる。照明器具２０（対象空間１１０）の周囲の日付及び時刻は、照明器具２０（対象空間１１０）が属するタイムゾーンにおける日付及び時刻を想定している。
【００４６】
取得部３１は、参照情報の少なくとも一部を、参照装置４０から取得する。参照装置４０は、施設１００に設置されている装置である。参照装置４０は、対象空間１１０を照らす機能とは異なる機能を有する。つまり、参照装置４０は、照明装置以外の装置を想定している。特に、参照装置４０は、対象空間１１０又は対象空間１１０に関連する空間に作用する所定の処理を実行する機能を有する。対象空間１１０に関連する空間は、対象空間１１０との間に何らかの物理的な関連性（例えば、温度的な関連性）がある空間を想定している。対象空間１１０に関連する空間は、例えば、対象空間１１０を含む施設１００の外部の空間や、対象空間１１０の隣の空間が挙げられる。対象空間１１０を含む施設１００の外部の空間の温度は、例えば、外気温であり、施設１００の外気温は、対象空間１１０の内部の温度に関連し得る。対象空間１１０の隣の空間は、例えば、対象空間１１０が子供部屋であれば、寝室であり、隣り合うこのような部屋の温度は、相互に関連し得る。本実施形態では、所定の処理は、冷房と暖房との少なくとも一方である。つまり、参照装置４０は、対象空間１１０の冷房と暖房との少なくとも一方を行う空調装置である。参照装置４０は、冷房と暖房との少なくとも一方を実行するにあたっては、設定温度（目標温度）を基準に対象空間１１０の温度を調整する。具体的には、参照装置４０は、対象空間１１０の温度が設定温度（目標温度）に一致するように、冷房と暖房との少なくとも一方を実行する。参照装置４０は、季節による冷房運転と暖房運転の切り替える機能、及び、冷房運転と暖房運転の入／切りの予約機能を有する。そのため、参照装置４０は、対象空間１１０の周囲の季節の情報、及び、対象空間１１０の周囲の時刻の情報（環境情報）を有している。このように、本実施形態では、参照装置４０は、主温度情報、補助温度情報、及び、環境情報を有している。
【００４７】
取得部３１は、参照装置４０の保有する対象空間１１０の温度の情報（主温度情報）を、参照情報の一部として、取得する。取得部３１は、入出力インタフェースによって、参照装置４０と通信し、参照装置４０から、主温度情報を取得することができる。
【００４８】
取得部３１は、参照装置４０の保有する設定温度の情報（補助温度情報）を、参照情報の一部として、取得する。取得部３１は、入出力インタフェースによって、参照装置４０と通信し、参照装置４０から、補助温度情報を取得することができる。本実施形態では、図１に示すように、参照装置４０は、操作装置５０によって、制御可能である。操作装置５０は、いわゆるリモートコントローラである。操作装置５０は、無線信号によって、参照装置４０に、設定温度の情報（補助温度情報）を与えることができる。この場合、取得部３１は、参照装置４０とは別の操作装置５０から参照装置４０に送信される信号から、補助温度情報を取得することができる。例えば、操作装置５０が赤外線通信によって、補助温度情報を赤外線信号に含めて参照装置４０に送る場合、取得部３１は、当該赤外線信号を受信することで、補助温度情報を得ることが可能となる。
【００４９】
取得部３１は、参照装置４０の保有する対象空間１１０の周囲の季節及び時刻の情報（環境情報）を、参照情報の一部として、取得する。取得部３１は、入出力インタフェースによって、参照装置４０と通信し、参照装置４０から、環境情報を取得することができる。
【００５０】
決定部３２は、参照情報に基づいて、対象空間１１０を照らす照明器具２０からの照明光の色温度の目標値を決定する。特に、決定部３２は、所定情報に基づいて基準温度を決定する。所定情報は、補助温度情報と、環境情報との少なくとも一方を含んでよい。本実施形態では、所定情報は、補助温度情報を含む。補助温度情報は、参照装置４０の設定温度の情報を含み、決定部３２は、参照装置４０の設定温度から、基準温度を決定する。基準温度は、対象空間１１０の温度との比較に用いられる。本実施形態では、決定部３２は、参照装置４０の設定温度を基準温度として利用する。
【００５１】
決定部３２は、基準温度と主温度情報とに基づいて目標値を決定する。決定部３２は、対象空間１１０の温度又は基準温度が高くなるほど目標値を大きくし、対象空間１１０の温度又は基準温度が低くなるほど目標値を小さくする。つまり、決定部３２は、対象空間１１０の温度又は基準温度が高くなるほど目標値を大きくして、照明光の色を寒色系の色に調整する。これによって、対象空間１１０にいる人に、涼感を与えることができる。一方、決定部３２は、対象空間１１０の温度又は基準温度が低くなるほど目標値を小さくして、照明光の色を暖色系の色に調整する。これによって、対象空間１１０にいる人に、暖感を与えることができる。
【００５２】
本実施形態では、決定部３２は、基準温度に基づいて、照明器具２０の色温度の仮目標値を決定する。決定部３２は、基準温度が高くなるほど仮目標値を大きくし、基準温度が低くなるほど仮目標値を小さくする。本実施形態では、決定部３２は、基準温度が２５℃以上であれば、仮目標値を５８００Ｋに設定する。決定部３２は、基準温度が２０℃以上２５℃未満であれば、仮目標値を５０００Ｋに設定する。決定部３２は、基準温度が１５℃以上２０℃未満であれば、仮目標値を４７００Ｋに設定する。決定部３２は、基準温度が１０℃以上１５℃未満であれば、仮目標値を４０００Ｋに設定する。決定部３２は、基準温度が１０℃未満であれば、仮目標値を３５００Ｋに設定する。
【００５３】
決定部３２は、対象空間１１０の温度が基準温度を超える場合には目標値を仮目標値より大きい値に設定し、対象空間１１０の温度が基準温度を下回る場合には目標値を仮目標値より小さい値と設定する。具体的には、決定部３２は、対象空間１１０の温度と基準温度との差に基づいて、目標値の補正値（第１補正値）を決定する。対象空間１１０の温度が基準温度を一定値以上超える場合には補正値は正であり、対象空間１１０の温度と基準温度との差が大きくなるほど補正値の絶対値が大きくなる。対象空間１１０の温度が基準温度を一定値以上下回る場合には補正値は負であり、対象空間１１０の温度と基準温度との差が大きくなるほど補正値の絶対値が大きくなる。本実施形態では、決定部３２は、差が−２℃以上＋２℃未満であれば、補正値を０Ｋに設定する。決定部３２は、差が＋２℃以上＋４℃未満であれば、補正値を＋２００Ｋに設定する。決定部３２は、差が＋４℃以上であれば、補正値を＋４００Ｋに設定する。決定部３２は、差が−４℃以上−２℃未満であれば、補正を−２００Ｋに設定する。決定部３２は、差が−４℃未満であれば、補正値を−４００Ｋに設定する。
【００５４】
決定部３２は、環境情報に基づいて、照明器具２０の色温度の目標値の補正をする。決定部３２は、環境情報から得られる一日の時間帯に基づいて、目標値の補正値（第２補正値）を決定する。本実施形態では、決定部３２は、季節の情報と時刻の情報とから、現時刻が属する一日の時間帯を決定する。一日の時間帯は、例えば、薄暮・黎明、夜間、及び昼間である。決定部３２は、一日の時間帯が薄暮・黎明である場合、補正値を−７００Ｋに設定する。決定部３２は、一日の時間帯が夜間である場合、補正値を−２００Ｋに設定する。決定部３２は、一日の時間帯が昼間である場合、補正値を０Ｋに設定する。
【００５５】
決定部３２は、環境情報から得られる季節に基づいて、目標値の補正値（第３補正値）を決定する。季節は、例えば、夏季、冬季、春季・秋季である。決定部３２は、季節が夏季である場合、補正値を＋４００Ｋに設定する。決定部３２は、季節が冬季である場合、補正値を−４００Ｋに設定する。決定部３２は、季節が春季・秋季である場合、補正値を０Ｋに設定する。
【００５６】
決定部３２は、仮目標値から目標値を求める際には、全ての補正値（第１〜第３補正値）を仮目標値に加算する。つまり、本実施形態では、目標値は、仮目標値に全ての補正値（第１〜第３補正値）を加算して得られる値である。一例として、設定温度が２８℃、対象空間１１０の温度が３０℃、一日の時間帯が昼間、季節が夏季であるとする。この場合、基準温度は２８℃となり、仮目標値は、５８００Ｋである。基準温度と対象空間１１０の温度との差が２℃であるから、第１補正値は、＋２００Ｋである。一日の時間帯が昼間であるから、第２補正値が０Ｋである。季節が夏季であるから、第３補正値が＋４００Ｋである。したがって、目標値は、５８００Ｋ＋２００Ｋ＋０Ｋ＋４００Ｋ＝６４００Ｋとなる。別例として、設定温度が２２℃、対象空間１１０の温度が１４℃、一日の時間帯が夜間、季節が冬季であるとする。この場合、基準温度は２２℃となり、仮目標値は、５０００Ｋである。基準温度と対象空間１１０の温度との差が−８℃であるから、第１補正値は、−４００Ｋである。一日の時間帯が夜間であるから、第２補正値が−２００Ｋである。季節が冬季であるから、第３補正値が−４００Ｋである。したがって、目標値は、５０００Ｋ−４００Ｋ−２００Ｋ−４００Ｋ＝４０００Ｋとなる。
【００５７】
制御部３３は、照明光の色温度を、目標値を基準に調整する。照明光の色温度を、目標値を基準に調整するとは、照明光の色温度の調整を、目標値を基準にして行うことをいう。本実施形態では、制御部３３は、照明光の色温度が目標値に近付くように、照明光の色温度の調整を実行する。一例として、制御部３３は、照明光の色温度が目標値を含む規定範囲に入るように、照明光の色温度の調整を実行する。規定範囲は特に限定されないが、例えば１００Ｋの幅の範囲であってよい。もちろん、制御部３３は、照明光の色温度が目標値に近付くように（好ましくは一致するように）、照明光の色温度の調整を実行してよい。上述したように、照明器具２０の光源ユニット２１では、シード光Ｐ２，Ｐ２１，Ｐ２２と励起光Ｐ１との少なくとも一方の強度の調整によって、照明光の色温度の調整が可能である。よって、制御部３３は、シード光Ｐ２，Ｐ２１，Ｐ２２と励起光Ｐ１との少なくとも一方の強度の調整によって、照明光の色温度を調整する。具体的には、制御部３３は、入出力インタフェースを介して、光源部２３の第１光源２３１及び第２光源２３２の駆動回路（第１及び第２駆動回路）に制御信号を与えて、第１光源２３１及び第２光源２３２のレーザ光源の出力を調整する。
【００５８】
（１−３）動作
次に、照明制御システム１０の動作について図７のフローチャートを参照して説明する。照明制御システム１０では、取得部３１が、参照装置４０から、参照情報を取得する（Ｓ１１）。決定部３２は、参照情報に基づいて、対象空間１１０を照らす照明器具２０からの照明光の色温度の目標値を決定する（Ｓ１２）。特に、決定部３２は、参照情報に含まれる補助温度情報から、基準温度を決定する（Ｓ１２１）。決定部３２は、基準温度から、照明光の色温度の仮目標値を決定する（Ｓ１２２）。決定部３２は、参照情報に含まれる主温度情報及び環境情報を用いて、仮目標値の補正をし、これによって、目標値を決定する（Ｓ１２３）。制御部３３は、シード光Ｐ２（Ｐ２１，Ｐ２２）と励起光Ｐ１との少なくとも一方の強度の調整によって、照明光の色温度を調整する（Ｓ１３）。
【００５９】
（１−４）まとめ
以上述べたように、照明制御システム１０は、取得部３１と、決定部３２と、制御部３３と、を備える。取得部３１は、対象空間１１０に関する温度情報を含む参照情報を取得する。決定部３２は、参照情報に基づいて、対象空間１１０を照らす照明器具２０からの照明光の色温度の目標値を決定する。制御部３３は、照明光の色温度を、目標値を基準に調整する。照明器具２０は、光源部２３と、光ファイバ２４と、を含む。光ファイバ２４は、励起光Ｐ１によって励起され励起光Ｐ１よりも長波長の自然放出光を発生可能であり、かつ、自然放射増幅光によって励起可能な波長変換要素を含む波長変換部２４ｃを有する。光源部２３は、第１光源２３１と、１以上の第２光源２３２（２３２ａ，２３２ｂ）と、を有する。第１光源２３１は、励起光Ｐ１を光ファイバ２４に入射させる。１以上の第２光源２３２（２３２ａ，２３２ｂ）は、励起光Ｐ１あるいは自然放射増幅光によって励起された波長変換要素から誘導放出光を発生させるためのシード光Ｐ２（Ｐ２１，Ｐ２２）を、光ファイバ２４に入射させる。制御部３３は、シード光Ｐ２（Ｐ２１，Ｐ２２）と励起光Ｐ１との少なくとも一方の強度の調整によって、照明光の色温度を調整する。この照明制御システム１０によれば、対象空間１１０を照らす照明光の色温度の調整の容易化及び照明光の品質の向上が図れる。
【００６０】
換言すれば、照明制御システム１０は、図７に示すような照明制御方法を実行しているといえる。照明制御方法は、取得ステップＳ１１と、決定ステップＳ１２と、制御ステップＳ１３と、を備える。取得ステップＳ１１は、対象空間１１０に関する温度情報を含む参照情報を取得するステップである。決定ステップＳ１２は、参照情報に基づいて、対象空間１１０を照らす照明器具２０からの照明光の色温度の目標値を決定するステップである。制御ステップＳ１３は、照明光の色温度を、目標値を基準に調整するステップである。照明器具２０は、光源部２３と、光ファイバ２４と、を含む。光ファイバ２４は、励起光Ｐ１によって励起され励起光Ｐ１よりも長波長の自然放出光を発生可能であり、かつ、自然放射増幅光によって励起可能な波長変換要素を含む波長変換部２４ｃを有する。光源部２３は、第１光源２３１と、１以上の第２光源２３２（２３２ａ，２３２ｂ）と、を有する。第１光源２３１は、励起光Ｐ１を光ファイバ２４に入射させる。１以上の第２光源２３２（２３２ａ，２３２ｂ）は、励起光Ｐ１あるいは自然放射増幅光によって励起された波長変換要素から誘導放出光を発生させるためのシード光Ｐ２（Ｐ２１，Ｐ２２）を、光ファイバ２４に入射させる。制御ステップＳ１３は、シード光Ｐ２（Ｐ２１，Ｐ２２）と励起光Ｐ１との少なくとも一方の強度の調整によって、照明光の色温度を調整する。この照明制御方法によれば、照明制御システム１０と同様に、対象空間１１０を照らす照明光の色温度の調整の容易化及び照明光の品質の向上が図れる。
【００６１】
照明制御システム１０は、コンピュータシステムを利用して実現されている。つまり、照明制御システム１０が実行する方法（照明制御方法）は、コンピュータシステムがプログラムを実行することにより実現され得る。このプログラムは、１以上のプロセッサに、照明制御方法を実行させるためのコンピュータプログラムである。このプログラムによれば、照明制御システム１０と同様に、対象空間１１０を照らす照明光の色温度の調整の容易化及び照明光の品質の向上が図れる。
【００６２】
別の観点からすれば、照明制御システム１０は、以下の構成を有する。つまり、照明制御システム１０は、取得部３１と、決定部３２と、制御部３３と、を備える。取得部３１は、対象空間１１０に関する温度情報を含む参照情報を取得する。決定部３２は、参照情報に基づいて、対象空間１１０を照らす照明器具２０からの照明光の色温度の目標値を決定する。制御部３３は、照明光の色温度を、目標値を基準に調整する。照明器具２０は、光源部２３と、光ファイバ２４と、を含む。光ファイバ２４は、光ファイバ２４に入射した光の少なくとも一部の波長を変換する波長変換要素を含む波長変換部２４ｃを有する。光源部２３は、第１光Ｐ１を光ファイバ２４に入射させる第１光源２３１と、第１光Ｐ１と波長が異なる第２光Ｐ２（Ｐ２１，Ｐ２２）を光ファイバ２４に入射させる１以上の第２光源２３２（２３２ａ，２３２ｂ）と、を有する。制御部３３は、第１光Ｐ１と第２光Ｐ２（Ｐ２１，Ｐ２２）との少なくとも一方の強度の調整によって、照明光の色温度を調整する。この照明制御システム１０によれば、対象空間１１０を照らす照明光の色温度の調整の容易化及び照明光の品質の向上が図れる。
【００６３】
別の観点からすれば、照明制御システム１０は、取得部３１と、決定部３２と、制御部３３と、を備える。取得部３１は、対象空間１１０に関する温度情報を含む参照情報を取得する。決定部３２は、参照情報に基づいて、対象空間１１０を照らす照明器具２０からの照明光の色温度の目標値を決定する。取得部３１は、参照情報を、対象空間１１０を照らす機能とは異なる機能を有する参照装置４０から取得する。この照明制御システム１０では、既設の参照装置４０から、色温度の目標値の決定に用いる参照情報を、取得することができる。そのため、対象空間１１０に、照明制御システム１０での照明光の色温度の目標値の決定のため温度センサ等の各種センサの設置や準備が不要になる。このように、照明制御システム１０によれば、照明器具２０の照明光の色温度の調整のためだけに参照情報を収集する装置を参照装置４０として新たに設ける必要がないから、照明制御システム１０の実施コストの低減が図れる。
【００６４】
（２）変形例
本開示の実施形態は、上記実施形態に限定されない。上記実施形態は、本開示の課題を達成できれば、設計等に応じて種々の変更が可能である。以下に、上記実施形態の変形例を列挙する。以下に説明する変形例は、適宜組み合わせて適用可能である。
【００６５】
上記実施形態では、施設１００が戸建て住宅である場合について説明した。しかしながら、施設１００は、戸建て住宅に限定されない。施設１００は、集合住宅であってもよいし、住宅以外の建物であってもよいし、住宅と非住宅（例えば商業施設）との複合施設であってもよい。施設１００は、１以上の建物だけではなく、建物とその建物が存在する敷地とを含んでいてもよい。施設１００の例としては、空港、駅や港等の交通機関の施設、工業施設（工場、倉庫等）、商業施設（ショッピングモール等）、宿泊施設（リゾートホテル等）、アミューズメント施設、ＭＩＣＥ施設、統合型リゾート（Integrated Resort）施設が挙げられる。アミューズメント施設は、テーマパーク、遊園地、運動施設（競技場、水泳場、スケートリンク等）、コンサートホール、劇場、映画館、美術館を含み得る。統合型リゾートは、カジノのほかホテルや劇場、国際会議場や展示会場などのＭＩＣＥ施設、ショッピングモール等が集まった複合的な施設である。
【００６６】
照明制御システム１０は、施設１００ではなく、移動体に適用することもできる。この場合、対象空間１１０は、移動体１００の内部の空間であってよい。例えば、移動体１００が自動車である場合、対象空間１１０は、車室である。移動体の例としては、自動車、自転車、電車、飛行機、船舶等の乗り物が挙げられる。
【００６７】
照明制御システム１０において、照明器具２０の数、及び、制御装置３０の数は特に限定されない。また、照明器具２０と制御装置３０とは一対一に対応付けられていなくてよく、複数の照明器具２０を単一の制御装置３０が制御してよい。
【００６８】
一変形例では、照明器具２０は、光ファイバ２４からの光Ｌ１を光照射部２２に導く導光体を更に有していてよい。これによって、光源ユニット２１を光照射部２２から離れた位置に配置しやすくなる。照明器具２０は、励起光Ｐ１及びシード光Ｐ２を光ファイバ２４の入射部２４ａへ入射するための光結合部を更に備えていてもよい。光結合部は、グレーティングであってよいが、これに限らない。グレーティングは、透過型の回折格子である。グレーティングの材料は、例えば、石英であってよいが、これに限らない。照明器具２０は、必ずしも、光ファイバ２４が波長変換部２４ｃを備える必要はなく、光ファイバ２４を備える必要はない。
【００６９】
一変形例では、取得部３１は、複数の参照装置４０から、参照情報を取得してよい。この場合に、取得部３１は、複数の参照装置４０から同じ参照情報を取得することで、参照情報の正確さの向上が図れる。一例として、取得部３１は、環境情報として、時刻の情報を、複数の参照装置４０から取得することで、時刻の正確さの向上が期待できる。一方、取得部３１は、複数の参照装置４０からの情報を総合して参照情報としてよい。例えば、参照情報が、主温度情報と、補助温度情報と、環境情報とを含む場合、取得部３１は、３つの参照装置４０から、主温度情報と、補助温度情報と、環境情報とをそれぞれ取得し得る。一例として、取得部３１は、環境情報を、電話機（スマートフォン等）、放送受信機（テレビ等）、時計装置、スマートスピーカ、ウェアラブル端末、操作装置５０から取得してよい。
【００７０】
上記実施形態では、取得部３１は、参照装置４０とは別の操作装置５０から参照装置４０に送信される信号から、補助温度情報を取得する。ここで、操作装置５０と参照装置４０との間の通信は、有線通信、無線通信のいずれであってもよく、取得部３１は、対応する通信方法によって、操作装置５０から参照装置４０への信号を取得し、補助温度情報を得ればよい。
【００７１】
一変形例では、参照情報は、環境情報を必ずしも含む必要はない。温度情報は、必ずしも補助温度情報を含む必要はない。
【００７２】
上記実施形態では、決定部３２は、補助温度情報を所定情報として用いて基準温度を決定する。しかし、所定情報は、環境情報であってもよい。決定部３２は、環境情報と基準温度との対応関係を規定する表や式を用いて、環境情報から基準温度を得てよい。一例として、環境情報から得られる照明器具２０の位置と季節を利用して、照明器具２０の位置が属する場所における季節の平均的な空調装置の設定温度を、基準温度としてよい。ここで、照明器具２０の位置は、予め制御装置３０に与えられていてよく、この場合、照明器具２０の位置を環境情報として取得する必要がなくなる。また、決定部３２は、補助温度情報と環境情報との両方を用いて基準温度を決定してよい。要するに、所定情報は、補助温度情報と、環境情報との少なくとも一方を含んでいればよい。
【００７３】
一変形例では、補助温度情報から基準温度を得る方法は、表や式等、種々の方法を利用できる。また、基準温度は、補助温度情報に含まれる設定温度と対象空間１１０の外部の温度との少なくとも一方に基づいて、決定され得る。
【００７４】
一変形例では、環境情報に関して、決定部３２は、照明器具２０の周囲の気圧から、照明器具２０の位置（特に標高）を推定してよい。決定部３２は、位置と日付から、季節を推定してよい。
【００７５】
一変形例では、決定部３２は、必ずしも、第１〜第３補正値の全てを用いる必要はない。決定部３２は、補正値を用いず、基準温度から得た仮目標値をそのまま目標値に用いてもよい。
【００７６】
上記実施形態では、制御部３３は、励起光Ｐ１の強度と、複数のシード光Ｐ２それぞれの強度を調整する。一変形例では、制御部３３は、励起光Ｐ１とシード光Ｐ２との少なくとも一方の強度の調整によって、照明光の色温度を調整してよい。第１光源２３１又は第２光源２３２からの光の強度の調整は、第１光源２３１又は第２光源２３２自体の制御によって実施されてもよいし、光源部２３と光ファイバ２４との間に配置した液晶フィルタやマイクロミラーアレイ等を利用して実施されてもよい。
【００７７】
本開示における照明制御システム１０（特に制御装置３０）は、例えば、コンピュータシステムを含んでいる。コンピュータシステムは、ハードウェアとしてのプロセッサ及びメモリを主構成とする。コンピュータシステムのメモリに記録されたプログラムをプロセッサが実行することによって、本開示における照明制御システム１０としての機能が実現される。プログラムは、コンピュータシステムのメモリに予め記録されてもよく、電気通信回線を通じて提供されてもよく、コンピュータシステムで読み取り可能なメモリカード、光学ディスク、ハードディスクドライブ等の非一時的記録媒体に記録されて提供されてもよい。コンピュータシステムのプロセッサは、半導体集積回路（ＩＣ）又は大規模集積回路（ＬＳＩ）を含む１ないし複数の電子回路で構成される。ここでいうＩＣ又はＬＳＩ等の集積回路は、集積の度合いによって呼び方が異なっており、システムＬＳＩ、ＶＬＳＩ（Very Large Scale Integration）、又はＵＬＳＩ（Ultra Large Scale Integration）と呼ばれる集積回路を含む。さらに、ＬＳＩの製造後にプログラムされる、ＦＰＧＡ（Field-Programmable Gate Array）、又はＬＳＩ内部の接合関係の再構成若しくはＬＳＩ内部の回路区画の再構成が可能な論理デバイスについても、プロセッサとして採用することができる。複数の電子回路は、１つのチップに集約されていてもよいし、複数のチップに分散して設けられていてもよい。複数のチップは、１つの装置に集約されていてもよいし、複数の装置に分散して設けられていてもよい。ここでいうコンピュータシステムは、１以上のプロセッサ及び１以上のメモリを有するマイクロコントローラを含む。したがって、マイクロコントローラについても、半導体集積回路又は大規模集積回路を含む１ないし複数の電子回路で構成される。
【００７８】
また、照明制御システム１０（特に制御装置３０）における複数の機能が、１つの筐体内に集約されていることは照明制御システム１０に必須の構成ではなく、照明制御システム１０の構成要素は、複数の筐体に分散して設けられていてもよい。さらに、照明制御システム１０の少なくとも一部の機能、例えば、制御装置３０の一部の機能がクラウド（クラウドコンピューティング）等によって実現されてもよい。
【００７９】
（３）態様
上記実施形態及び変形例から明らかなように、本開示は、下記の態様を含む。以下では、実施形態との対応関係を明示するためだけに、符号を括弧付きで付している。
【００８０】
第１の態様は、照明制御システム（１０）であって、取得部（３１）と、決定部（３２）と、制御部（３３）と、を備える。前記取得部（３１）は、対象空間（１１０）に関する温度情報を含む参照情報を取得する。前記決定部（３２）は、前記参照情報に基づいて、前記対象空間（１１０）を照らす照明器具（２０）からの照明光の色温度の目標値を決定する。前記制御部（３３）は、前記照明光の色温度を、前記目標値を基準に調整する。前記照明器具（２０）は、光源部（２３）と、光ファイバ（２４）と、を含む。前記光ファイバ（２４）は、励起光（Ｐ１）によって励起され前記励起光（Ｐ１）よりも長波長の自然放出光を発生可能であり、かつ、自然放射増幅光によって励起可能な波長変換要素を含む波長変換部（２４ｃ）を有する。前記光源部（２３）は、第１光源（２３１）と、１以上の第２光源（２３２，２３２ａ，２３２ｂ）と、を有する。前記第１光源（２３１）は、前記励起光（Ｐ１）を前記光ファイバ（２４）に入射させる。前記１以上の第２光源（２３２，２３２ａ，２３２ｂ）は、前記励起光（Ｐ１）あるいは前記自然放射増幅光によって励起された前記波長変換要素から誘導放出光を発生させるためのシード光（Ｐ２，Ｐ２１，Ｐ２２）を、前記光ファイバ（２４）に入射させる。前記制御部（３３）は、前記シード光（Ｐ２，Ｐ２１，Ｐ２２）と前記励起光（Ｐ１）との少なくとも一方の強度の調整によって、前記照明光の色温度を調整する。この態様によれば、対象空間（１１０）を照らす照明光の色温度の調整の容易化及び照明光の品質の向上が図れる。
【００８１】
第２の態様は、第１の態様に基づく照明制御システム（１０）である。第２の態様では、前記取得部（３１）は、前記参照情報の少なくとも一部を、前記対象空間（１１０）を照らす機能とは異なる機能を有する参照装置（４０）から取得する。この態様によれば、照明器具（２０）の照明光の色温度の調整のためだけに参照情報を収集する装置を参照装置（４０）として新たに設ける必要がないから、照明制御システム（１０）の実施コストの低減が図れる。
【００８２】
第３の態様は、第２の態様に基づく評価方法である。第３の態様では、前記参照装置（４０）は、前記対象空間（１１０）又は前記対象空間（１１０）に関連する空間に作用する所定の処理を実行する機能を有する。この態様によれば、照明器具（２０）の照明光の色温度の調整のためだけに参照情報を収集する装置を参照装置（４０）として新たに設ける必要がないから、照明制御システム（１０）の実施コストの低減が図れる。
【００８３】
第４の態様は、第１〜第３の態様のいずれか一つに基づく照明制御システム（１０）である。第４の態様では、前記温度情報は、前記対象空間（１１０）の温度の情報である主温度情報を含む。この態様によれば、照明光の色温度の目標値の精度の向上が図れる。
【００８４】
第５の態様は、第１〜第４の態様のいずれか一つに基づく照明制御システム（１０）である。第５の態様では、前記温度情報は、前記対象空間（１１０）の温度とは別の前記対象空間（１１０）に関する温度の情報である補助温度情報を含む。この態様によれば、照明光の色温度の目標値の精度の向上が図れる。
【００８５】
第６の態様は、第５の態様に基づく照明制御システム（１０）である。第６の態様では、前記補助温度情報は、前記対象空間（１１０）の外部の温度の情報を含む。この態様によれば、照明光の色温度の目標値の精度の向上が図れる。
【００８６】
第７の態様は、第２又は第３の態様に基づく照明制御システム（１０）である。第７の態様では、前記参照装置（４０）は、前記対象空間（１１０）の冷房と暖房との少なくとも一方を行う空調装置である。この態様によれば、照明器具（２０）の照明光の色温度の調整のためだけに参照情報を収集する装置を参照装置（４０）として新たに設ける必要がないから、照明制御システム（１０）の実施コストの低減が図れる。
【００８７】
第８の態様は、第７の態様に基づく照明制御システム（１０）である。第８の態様では、前記温度情報は、前記対象空間（１１０）の温度の情報である主温度情報を含む。この態様によれば、照明光の色温度の目標値の精度の向上が図れる。
【００８８】
第９の態様は、第８の態様に基づく照明制御システム（１０）である。第４の態様では、前記温度情報は、前記対象空間（１１０）の温度とは別の前記対象空間（１１０）に関する温度の情報である補助温度情報を含む。この態様によれば、照明光の色温度の目標値の精度の向上が図れる。
【００８９】
第１０の態様は、第９の態様に基づく照明制御システム（１０）である。第１０の態様では、前記取得部（３１）は、前記参照装置（４０）とは別の操作装置（５０）から前記参照装置（４０）に送信される信号から、前記補助温度情報を取得する。この態様によれば、参照情報の取得の容易化が図れる。
【００９０】
第１１の態様は、第８〜第１０の態様のいずれか一つに基づく照明制御システム（１０）である。第１１の態様では、前記決定部（３２）は、所定情報に基づいて基準温度を決定し、前記基準温度と前記主温度情報とに基づいて前記目標値を決定する。前記所定情報は、補助温度情報と、環境情報と、の少なくとも一方を含む。前記補助温度情報は、前記温度情報に含まれる、前記対象空間（１１０）の温度とは別の前記対象空間（１１０）に関する温度の情報である。前記環境情報は、前記参照装置（４０）に含まれる、前記照明器具（２０）の周囲の温度を除く前記照明器具（２０）の周囲の環境に関する情報である。この態様によれば、照明光の色温度の目標値の精度の向上が図れる。
【００９１】
第１２の態様は、第１１の態様に基づく照明制御システム（１０）である。第１２の態様では、前記決定部（３２）は、前記対象空間（１１０）の温度又は前記基準温度が高くなるほど前記目標値を大きくし、前記対象空間（１１０）の温度又は前記基準温度が低くなるほど前記目標値を小さくする。この態様によれば、照明光の色温度の目標値の精度の向上が図れる。
【００９２】
第１３の態様は、第１２の態様に基づく照明制御システム（１０）である。第１３の態様では、前記決定部（３２）は、前記基準温度に基づいて、前記照明器具（２０）の色温度の仮目標値を決定する。前記決定部（３２）は、前記対象空間（１１０）の温度が前記基準温度を超える場合には前記目標値を前記仮目標値より大きい値に設定する。前記決定部（３２）は、前記対象空間（１１０）の温度が前記基準温度を下回る場合には前記目標値を前記仮目標値より小さい値に設定する。この態様によれば、照明光の色温度の目標値の精度の向上が図れる。
【００９３】
第１４の態様は、照明制御方法であって、取得ステップ（Ｓ１１）と、決定ステップ（Ｓ１２）と、制御ステップ（Ｓ１３）と、を備える。前記取得ステップ（Ｓ１１）は、対象空間（１１０）に関する温度情報を含む参照情報を取得するステップである。前記決定ステップ（Ｓ１２）は、前記参照情報に基づいて、前記対象空間（１１０）を照らす照明器具（２０）からの照明光の色温度の目標値を決定するステップである。前記制御ステップ（Ｓ１３）は、前記照明光の色温度を、前記目標値を基準に調整するステップである。前記照明器具（２０）は、光源部（２３）と、光ファイバ（２４）と、を含む。前記光ファイバ（２４）は、励起光（Ｐ１）によって励起され前記励起光（Ｐ１）よりも長波長の自然放出光を発生可能であり、かつ、自然放射増幅光によって励起可能な波長変換要素を含む波長変換部（２４ｃ）を有する。前記光源部（２３）は、第１光源（２３１）と、１以上の第２光源（２３２，２３２ａ，２３２ｂ）と、を有する。前記第１光源（２３１）は、前記励起光（Ｐ１）を前記光ファイバ（２４）に入射させる。前記１以上の第２光源（２３２，２３２ａ，２３２ｂ）は、前記励起光（Ｐ１）あるいは前記自然放射増幅光によって励起された前記波長変換要素から誘導放出光を発生させるためのシード光（Ｐ２，Ｐ２１，Ｐ２２）を、前記光ファイバ（２４）に入射させる。前記制御ステップ（Ｓ１３）は、前記シード光（Ｐ２，Ｐ２１，Ｐ２２）と前記励起光（Ｐ１）との少なくとも一方の強度の調整によって、前記照明光の色温度を調整する。この態様によれば、対象空間（１１０）を照らす照明光の色温度の調整の容易化及び照明光の品質の向上が図れる。
【００９４】
第１５の態様は、プログラムであって、１以上のプロセッサに、第１４の態様の照明制御方法を実行させるための、プログラムである。この態様によれば、対象空間（１１０）を照らす照明光の色温度の調整の容易化及び照明光の品質の向上が図れる。
【００９５】
第１６の態様は、照明制御システム（１０）であって、取得部（３１）と、決定部（３２）と、制御部（３３）と、を備える。前記取得部（３１）は、対象空間（１１０）に関する温度情報を含む参照情報を取得する。前記決定部（３２）は、前記参照情報に基づいて、前記対象空間（１１０）を照らす照明器具（２０）からの照明光の色温度の目標値を決定する。前記制御部（３３）は、前記照明光の色温度を、前記目標値を基準に調整する。前記照明器具（２０）は、光源部（２３）と、光ファイバ（２４）と、を含む。前記光ファイバ（２４）は、前記光ファイバ（２４）に入射した光の少なくとも一部の波長を変換する波長変換要素を含む波長変換部（２４ｃ）を有する。前記光源部（２３）は、第１光源（２３１）と、１以上の第２光源（２３２，２３２ａ，２３２ｂ）と、を有する。前記第１光源（２３１）は、第１光（Ｐ１）を前記光ファイバ（２４）に入射させる。前記１以上の第２光源（２３２，２３２ａ，２３２ｂ）は、前記第１光（Ｐ１）と波長が異なる第２光（Ｐ２，Ｐ２１，Ｐ２２）を前記光ファイバ（２４）に入射させる。前記制御部（３３）は、前記第１光（Ｐ１）と前記第２光（Ｐ２，Ｐ２１，Ｐ２２）との少なくとも一方の強度の調整によって、前記照明光の色温度を調整する。この態様によれば、対象空間（１１０）を照らす照明光の色温度の調整の容易化及び照明光の品質の向上が図れる。
【００９６】
第１７の態様は、第１６の態様に基づく照明制御システム（１０）である。第１７の態様では、前記光ファイバ（２４）は、前記波長変換要素は、励起光（Ｐ１）によって励起され前記励起光（Ｐ１）よりも長波長の自然放出光を発生可能であり、かつ、自然放射増幅光によって励起可能である。前記第１光（Ｐ１）は、前記励起光である。前記第２光（Ｐ２，Ｐ２１，Ｐ２２）は、前記励起光（Ｐ１）あるいは前記自然放射増幅光によって励起された前記波長変換要素から誘導放出光を発生させるためのシード光である。この態様によれば、対象空間（１１０）を照らす照明光の色温度の調整の容易化及び照明光の品質の向上が図れる。
【００９７】
第１８の態様は、照明制御システム（１０）であって、取得部（３１）と、決定部（３２）と、制御部（３３）と、を備える。前記取得部（３１）は、対象空間（１１０）に関する温度情報を含む参照情報を取得する。前記決定部（３２）は、前記参照情報に基づいて、前記対象空間（１１０）を照らす照明器具（２０）からの照明光の色温度の目標値を決定する。前記取得部（３１）は、前記参照情報を、前記対象空間（１１０）を照らす機能とは異なる機能を有する参照装置（４０）から取得する。この態様によれば、照明器具（２０）の照明光の色温度の調整のためだけに参照情報を収集する装置を参照装置（４０）として新たに設ける必要がないから、照明制御システム（１０）の実施コストの低減が図れる。
【００９８】
なお、第２〜第１３の態様は、第１４、第１６、第１７の態様にも適宜変更して適用することが可能である。また、第３〜第１３の態様は、第１８の態様にも適宜変更して適用することが可能である。
【符号の説明】
【００９９】
１０  照明制御システム
２０  照明器具
２３  光源部
２３１  第１光源
２３２，２３２ａ，２３２ｂ  第２光源
２４  光ファイバ
２４ｃ  波長変換部
３１  取得部
３２  決定部
３３  制御部
４０  参照装置
５０  操作装置
１１０  対象空間
Ｐ１  励起光（第１光）
Ｐ２，Ｐ２１，Ｐ２２  シード光（第２光）
Ｓ１１  取得ステップ
Ｓ１２  決定ステップ
Ｓ１３  制御ステップ
【図１】
2022002179.tif 000003
【図２】
2022002179.tif 000004
【図３】
2022002179.tif 000005
【図４】
2022002179.tif 000006
【図５】
2022002179.tif 000007
【図６】
2022002179.tif 000008
【図７】
2022002179.tif 000009